(57)【要約】【課題】  カード類などの異物が誤挿入された際に、その異物がメカ内部の奥行まで挿入されるのを防止し、万一、メカ内部の奥行まで異物が挿入された場合でも、その異物をイジェクト動作で排出することができるディスク再生装置を得ることにある。【解決手段】  再生ユニットベース２と、この再生ユニットベース２に昇降可能に組み付けられたカートリッジホルダ３と、このカートリッジホルダ３に摺動可能に保持され、挿入されたディスクカートリッジ２０を保持して搬送するカートリッジ搬送トレー４とを備え、前記カートリッジ搬送トレー４に、前記再生ユニットベース２との間隙を遮る方向へ延びる異物排除部１７を設けたものである。【選択図】        図１
2006286117.tif 000002
【特許請求の範囲】
【請求項１】
ディスク再生系統機構が搭載された再生ユニットベースと、この再生ユニットベースに対して昇降可能に組み付けられたカートリッジホルダと、このカートリッジホルダに摺動可能に保持され、挿入されたディスクカートリッジを保持して搬送するカートリッジ搬送トレーとを備えたディスク再生装置において、前記カートリッジ搬送トレーに、前記再生ユニットベースとの間隙を遮る方向へ延びて前記カートリッジ搬送トレーと一体に移動し、かつ前記カートリッジホルダのローディング時の下降を許容する異物排除部を設けたことを特徴とするディスク再生装置。
【請求項２】
異物排除部は、カートリッジ搬送トレーにおけるディスクカートリッジの挿入先端当接部位の幅方向中間部に一体形成されて再生ユニットベースとの間隙を遮る方向に垂下する異物ストッパ片部からなっており、前記再生ユニットベースには、前記異物ストッパ片部の垂下端部をスライド自在に嵌合させたガイド溝と、カートリッジホルダのローディング下降時に前記異物ストッパ片部の垂下部を嵌入させるストッパ逃げ部とが設けられていることを特徴とする請求項１記載のディスク再生装置。
【発明の詳細な説明】
【技術分野】
【０００１】
この発明は、例えばクレジットカードやテレフォンカード等の異物の誤挿入防止対策および排除対策を施したＭＤカートリッジのディスク再生装置に関するものである。
【背景技術】
【０００２】
従来のＭＤカートリッジのディスク再生装置は、ディスク再生系統機構が搭載された再生ユニットベースと、この再生ユニットベースに対して昇降可能に組み付けられたカートリッジホルダと、このカートリッジホルダに摺動可能に保持され、当該カートリッジホルダに挿入されたディスクカートリッジを保持してディスク再生方向およびディスク排出方向に搬送するカートリッジ搬送トレーとを備えた構成となっている。ここで、前記カートリッジ搬送トレーには、ディスクカートリッジの挿入方向先端を当接させるための後端垂下片部が一体形成され、前記カートリッジホルダの上昇位置では前記後端垂下片部の下端と前記再生ユニットベースとの間には間隙が生じるようになっている。このような従来のディスク再生装置において、ＭＤカートリッジの誤挿入を防止するためのカートリッジ誤挿入防止機構を設けたものは既に知られている（例えば、特許文献１，２参照）。
【０００３】
すなわち、従来のディスク再生装置に設けられたカートリッジ誤挿入防止機構は、特許文献１ではカートリッジ搬送トレーの両側部に、かつ特許文献２では筐体シャーシと挿入口枠に誤挿入防止用のレバーを回動可能に軸支し、そのレバーをばね力でカートリッジ搬送経路に突出させ、ＭＤカートリッジの正規の挿入方向先端で前記レバーを押圧回動させてカートリッジ搬送経路から退避させることにより、当該レバーを前記ＭＤカートリッジが通過するようにし、かつ、前記ＭＤカートリッジが逆差し挿入された際には当該ＭＤカートリッジの逆差し挿入先端部が前記レバーに当接しても当該レバーが回動しない構成として前記ＭＤカートリッジの逆差し挿入を防止するものである。なお、特許文献２では、ＭＤカートリッジを裏返し挿入した場合でも、その挿入を阻止できるようにしている。
【０００４】
【特許文献１】特開平７−２２０３４８号公報（第２頁右欄及び第３頁左欄、図１）
【特許文献２】特開平１１−３０６６３４号公報（第３頁、図１２）
【発明の開示】
【発明が解決しようとする課題】
【０００５】
従来のディスク再生装置は以上のように構成されているので、特許文献１および特許文献２のいずれの場合もＭＤカートリッジのみを対象としたカートリッジ誤挿入防止機構によって、ＭＤカートリッジの逆差し等を防止することはできるが、ＭＤカートリッジ以外の異物の誤挿入を阻止することはできないという課題があった。すなわち、カートリッジホルダがＭＤカートリッジ挿入前の上昇待機位置に保持された状態では、そのカートリッジホルダに保持されたカートリッジ搬送トレーと再生ユニットベースとの間には間隙が生じているため、例えばクレジットカードやテレフォンカード等のカード類が前記カートリッジホルダに挿入された場合、その挿入を阻止する手段がないため、前記カード類は前記間隙に入り込んでメカ内部（再生ユニットベース上）に落ち込んでしまい、落ち込んだカード類を取り出すことができないという課題があった。
【０００６】
この発明は上記のような課題を解決するためになされたもので、ディスクカートリッジ以外のカード類などの異物が誤挿入された際に、その異物がメカ内部の奥行まで挿入されるのを防止することができると共に、万一、メカ内部の奥行まで異物が挿入された場合でも、その異物を取り出し可能な位置までイジェクト動作で排出することができるディスク再生装置を得ることを目的とする。
【課題を解決するための手段】
【０００７】
この発明に係るディスク再生装置は、ディスク再生系統機構が搭載された再生ユニットベースと、この再生ユニットベースに対して昇降可能に組み付けられたカートリッジホルダと、このカートリッジホルダに摺動可能に保持され、挿入されたディスクカートリッジを保持して搬送するカートリッジ搬送トレーとを備えたディスク再生装置において、前記カートリッジ搬送トレーに、前記再生ユニットベースとの間隙を遮る方向へ延びて前記カートリッジ搬送トレーと一体に移動し、かつ前記カートリッジホルダのローディング時の下降を許容する異物排除部を設けたものである。
【発明の効果】
【０００８】
この発明によれば、カートリッジホルダに摺動可能に保持されたカートリッジ搬送トレーに、再生ユニットベースとの間隙を遮る方向に延びて前記カートリッジ搬送トレーと一体に移動する異物排除部を設けるように構成したので、前記カートリッジ搬送トレーがディスクカートリッジ挿入前の中間待機位置に保持された状態において、カード類の異物が前記カートリッジホルダ内に誤挿入されると、その異物の挿入先端が前記異物排除部に当接するため、メカ内部の奥まで前記異物が挿入されるのを防止することができるという効果がある。また、誤挿入された前記異物が万一ローディングされた場合でも、前記異物排除部は常に再生ユニットベースとカートリッジ搬送トレーとの間隙を遮っているので、イジェクト動作時に前記カートリッジ搬送トレーと一体に移動する前記異物排除部によって前記異物を取り出し可能な位置まで排出することができるという効果がある。
【発明を実施するための最良の形態】
【０００９】
実施の形態１．
図１はこの発明の実施の形態１によるＭＤカートリッジのディスク再生装置を示す外観斜視図、図２は図１の要部を切欠した正面図、図３は図２中の再生ユニットベースの平面図、図４は図２の概略的な側面図、図５は図１の上下方向を逆にした背面図、図６は図５の概略的な下面図、図７（Ａ）は図６では示されていない他の機構部分を表した図５の下面図、図７（Ｂ）は図７（Ａ）の左側面図、図７（Ｃ）は図７（Ａ）の右側面図、図８は図６および図７中の誤挿入防止レバー取り付け部分の拡大平面図である。
図１に示すディスク再生装置は、前面にカートリッジ挿入口１ａを有する装置筐体のシャーシ１と、このシャーシ１内に組み付けられた再生ユニットベース２（図２参照）と、この再生ユニットベース２の上方に配置されて当該再生ユニットベース２に昇降可能に保持されたカートリッジホルダ３と、このカートリッジホルダ３に摺動可能に保持されたカートリッジ搬送トレー４とを備えている。
【００１０】
前記再生ユニットベース２には、図２および図３に示すように、スピンドルモータ５の回転軸に取り付けられたターンテーブル６と、ディスク再生用のピックアップ７と、このピックアップ７をネジ送り機構（図示せず）を介して駆動するピックアップ駆動モータ８等のディスク再生系統機構が搭載されている。このような再生ユニットベース２は、その複数箇所が前記シャーシ１に弾性体９（図１参照）を介して弾性的に支持されている。また、前記再生ユニットベース２の後部両側には、図７に示すようにピンＰ１を介してホルダ支持アーム１０の両側後部が上下方向へ回動可能に取り付けられ、そのホルダ支持アーム１０に前記カートリッジホルダ３が取り付けられている。また、前述のようにホルダ支持アーム１０の両側を軸支している左右のピンＰ１において、その一方のピンＰ１には回動レバー１１が前記ホルダ支持アーム１０と同一方向へ回動可能に取り付けられている。その回動レバー１１は下向き回動方向の付勢力を有しており、その付勢限界位置で前記ホルダ支持アーム１０に係合するようになっている。
【００１１】
このように回動レバー１１が組み付けられたホルダ支持アーム１０で保持されているカートリッジホルダ３は、前記ホルダ支持アーム１０の回動によって前記再生ユニットベース２上に接離する方向へ昇降可能となっている。そして、前記カートリッジホルダ３内に前記カートリッジ搬送トレー４が摺動自在に組み付けられている。そのカートリッジ搬送トレー４は、前記カートリッジホルダ３内に正しく挿入されたＭＤカートリッジ２０をロック保持してローディング開始方向に往復搬送するものである。
【００１２】
ここで、前記カートリッジホルダ３とカートリッジ搬送トレー４との詳細な関連構成を図６および図７に基づいて説明する。
まず、カートリッジホルダ３の前端部両側には、ＭＤカートリッジ２０の両側がスライド自在に嵌め込まれる対称的断面コ字状をなした左右一対のカートリッジガイド片部３ａが形成されている。また、前記カートリッジホルダ３には、ＭＤカートリッジ２０の搬送方向へ一直線状に延びて互いに平行するガイドスリット３ｂ，３ｃが設けられ、それらのガイドスリット３ｂ，３ｃに前記カートリッジ搬送トレー４と一体のガイド突起４ａ，４ｂがスライド自在に嵌めまれている。そして、前記カートリッジホルダ３の表面側には、中央のガイドスリット３ｂを介して前記カートリッジホルダ３とカートリッジ搬送トレー４とに跨るトグルばね１２が配置されている。このトグルばね１２は、カートリッジ搬送トレー４をディスク再生方向およびディスク排出方向に付勢するものである。
【００１３】
また、前記カートリッジホルダ３内の一側には、ＭＤカートリッジ２０のシャッタ２１をロック解除する凸部ＡＡ（後述する）とシャッタを保持・開閉するシャッタ開閉用の板ばね１３が配置してある。それらの板ばね１３は内向きの屈曲係合部１３ａを有している。さらに、前記カートリッジホルダ３の表面部一側には、カートリッジ誤挿入防止レバー（以下、誤挿入防止レバーという）１４が回動可能に取り付けられている。この誤挿入防止レバー１４の自由端側には、図８に示すように、前記カートリッジホルダ３に設けられた窓穴３ｄを介して当該カートリッジホルダ３の裏面側に出没させる係止爪部１４ａが屈曲形成されている。すなわち、前記カートリッジホルダ３には、前記係止爪部１４ａを出没させるための窓穴３ｄが設けられており、この窓穴３ｄから前記係止爪部１４ａが出没する方向へ前記誤挿入防止レバー１４が水平回動するようになっている。
【００１４】
その誤挿入防止レバー１４は係止爪部１４ａが前記窓穴３ｄからカートリッジホルダ３の裏面側に突出する方向（カートリッジホルダ２内のカートリッジ移動経路を遮る方向）にスプリング１５で付勢されている。このスプリング１５の付勢で前記カートリッジホルダ３の裏面側に突出した状態の誤挿入防止レバー１４には、前記カートリッジホルダ４の一側後部に形成された爪部４ｇが係合するようになっている。したがって、前記誤挿入防止レバー１４、カートリッジ搬送トレー４がカートリッジ挿入前にローディング開始方向に移動するのを規制するストッパ機能を有している。このような誤挿入防止レバー１４は、その係止爪部１４ａがＭＤカートリッジ２０の正規の挿入方向先端部で押されることによって、前記スプリング１５の付勢力に抗する方向へ回動し、これにより、前記係止爪部１４ａが前記窓穴３ｄから没入して前記カートリッジ搬送トレー４およびＭＤカートリッジ２０の通過を許容するようになっている。
【００１５】
次に、前記カートリッジ搬送トレー４は、前記ＭＤカートリッジ２０の正規の挿入方向先端を当接させるための後端片部４ｃを有し、この後端片部４ｃの後ろ側には前記カートリッジ搬送トレー４の幅方向に沿ったコ字状の係合溝部４ｄが形成されており、その係合溝部４ｄの機能については後述する。また、前記カートリッジ搬送トレー４の両側には、その後端片部４ｃの両端から前方に向かって延びる左右のカートリッジロック保持用板ばね１６（図６参照）が取り付けられている。それらの板ばね１６は、ＭＤカートリッジ２０の挿入方向先端寄りの両側部に形成されたロック用切欠部２２（図９参照）に係脱させるための内向きの屈曲係合部１６ａを有している。このようなカートリッジ搬送トレー４においても、その一側にはカートリッジ誤挿入防止用の内向きストッパを兼ねたカートリッジガイド片部（以下、単にガイド片部という）４ｆが折曲形成されている。このガイド片部４ｆは、ＭＤカートリッジ２０の一側に形成された挿入ガイド溝２４を嵌め込む位置に折曲形成されている。
【００１６】
ここで、ＭＤカートリッジ２０について説明する。図９（Ａ）はＭＤカートリッジの裏面図、図９（Ｂ）は図９（Ａ）の左側面図、図９（Ｃ）は図９（Ａ）の右側面図である。
ＭＤカートリッジ２０は、その前・後端辺部２０ａ，２０ｂが左右の側辺部２０ｃ，２０ｄに比べて長い平面長方形状をなしており、一方の側辺部２０ｃに沿って設けられたシャッタガイド溝２３と、他方の側辺部２０ｄの前端側に設けられた挿入ガイド溝２４とを有している。前記シャッタガイド溝２３と挿入ガイド溝２４は、ＭＤカートリッジ２０の肉厚中心部から位置ずれ状態に形成されてそれぞれの前端が開放され、かつ後端が閉塞されている。そして、前記シャッタガイド溝２３にシャッタ２１の折り返し片部がスライド自在に嵌め込まれている。また、前記シャッタ２１の側面部には、前記シャッタ開閉用板ばね１３の屈曲係合部１３ａを係合させるための係合穴２１ａが設けられている。一方、前記ＭＤカートリッジ２０の内部には、前記シャッタ２１を閉位置で内側からロックするためのシャッタロックレバー２５が取り付けられている。このシャッタロックレバー２５はシャッタ２１をロックする方向の付勢力を有している。さらに、前記ＭＤカートリッジ２０にはシャッタガイド溝２３内に開口するロック解除穴２６が設けられており、このロック解除穴２６を介して前記凸部ＡＡが前記シャッタロックレバー２５をロック解除方向に押動するようになっている。
【００１７】
以上において、前記カートリッジ搬送トレー４には、図２および図４に示すように異物排除部１７が設けられている。この異物排除部１７は、前記再生ユニットベース２とカートリッジ搬送トレー４との間隙を遮る方向に延びてＭＤカートリッジ２０以外の異物（例えば、クレジットカードやテレフォンカード等のカード類）の誤挿入を阻止し、万一、メカ内部（ローディング位置）まで誤挿入された異物であってもそれを取り出し可能な位置まで搬出可能とするもので、前記カートリッジ搬送トレー４の幅方向中間部に一体的に設けられている。すなわち、前記異物排除部１７は、カートリッジホルダ３の内側面からクレジットカード等のカード類の幅寸法以下の距離に位置に設けられている。ここで、クレジットカード等の一般的なカードサイズは、おおよそ幅５４ｍｍ×長さ８６ｍｍ×重さ０．８ｇとなっているので、このようなカードサイズの場合、前記カートリッジ搬送トレー４の内側面と異物排除部１７との間の距離＜カード幅５４ｍｍとなる位置に前記異物排除部１７を設ける。
【００１８】
この実施の形態１において、前記異物排除部１７は、前記カートリッジ搬送トレー４の後端（ＭＤカートリッジ２０の挿入方向先端をローディング開始位置で当接させる部位）に連続形成されて垂下し、前記カートリッジ搬送トレー４と一体に移動する異物ストッパ片部からなっている。したがって、この実施の形態１では前記異物排除部１７を異物ストッパ片部１７と呼称して説明する。一方、前記再生ユニットベース２には、図３に示すように、前記異物ストッパ片部１７の垂下端部を摺動自在に嵌合させるガイド溝１８が設けられている。このガイド溝１８は、前記再生ユニットベース２上のターンテーブル６やピックアップ駆動モータ８等の搭載機器を避けてカートリッジ搬送トレー４の移動方向へ一直線状に延びており、そのガイド溝１８の後端側には、前記カートリッジ搬送トレー４のローディング下降時に前記異物ストッパ片部１７を嵌入させるためのストッパ逃げ穴（ストッパ逃げ部）１９が設けられている。
【００１９】
次に、ディスク再生装置の駆動系統について説明する。
図１および図５，図６に示すように、シャーシ１の後部には、ローディングモータ３０とギア連（動力伝達機構）３１が搭載されている。ギア連３１は、ローディングモータ３０の出力ウォーム３０ａに噛合した入力ギア３１ａと、この入力ギア３１ａに複数の中間ギア３１ｂを介して噛合する出力ギア３１ｃとからなっており、前記出力ギア３１ｃは偏心位置に係合ピン３２を有している。また、前記シャーシ１には、前記係合ピン３２およびギア連３１を介してローディングモータ３０により駆動される第１および第２のアーム３３，３４が共通の支軸３５で水平回動可能に取り付けられている。それらのアーム３３，３４は、それぞれの基端側回動部位にスイッチ押圧片部３３ａ，３４ａを有している。前記両アーム３３，３４は、それらに形成されたカム形状縁部間で前記係合ピン３２を挟み込む方向にスプリング３６で付勢されている。前記第１のアーム３３の先端部には、カートリッジ搬送トレー４後部の係合溝部４ｄにスライド自在に係合させる係合ピン３３ａ（図６参照）が突設され、その係合ピン３３ａによって第１のアーム３３とカートリッジ搬送トレー４とが連動関係に保持されている。
【００２０】
前記シャーシ１には基板４５が取り付けられ、その基板４５にはローディング検出スイッチＳＷ１とイジェクト検出スイッチＳＷ２が実装されている。ここで、前記第１のアーム３３のスイッチ押圧片部３３ａは前記ローディング検出スイッチＳＷ１をＯＮ・ＯＦＦ制御し、かつ第２のアーム３４のスイッチ押圧片部３４ａは前記イジェクト検出スイッチＳＷ２をＯＮ・ＯＦＦ制御するものである。また、前記シャーシ１の後部には、図７（Ａ）に示すように、前記出力ギア３１ｃに連動して水平回動することにより前記カートリッジホルダ３をロックおよびロック解除する系統の第１，第２のホルダロックレバー３７，３８が軸３７ａ，３８ａを介して取り付けられている。それらのホルダロックレバー３７，３８には、前記シャーシ１の両側に配置されて前後方向に移動する左右のスライダ３９，４０が連係させてある。
【００２１】
スライダ３９，４０には、図７（Ｂ）（Ｃ）に示すように、前記カートリッジホルダ３の両側から突出しているピンＰ１，Ｐ２を昇降方向に導入・導出させるテーパガイド面４１ａ，４２ａを有するピン係合溝４１，４２が設けられている。また、前記スライダ３９，４０の前端側には、前記各ピン係合溝４１，４２にピンＰ１，Ｐ２が導入された状態において、前側のピンＰ２をロックするピンロックカム（ピンロック部材）４３，４４が回動可能に軸支されており、それらのピンロックカム４３，４４は前記スライダ３９，４０の前後移動に追従連動して回動するようになっている。
【００２２】
次に動作について説明する。
図１０（Ａ）はＭＤカートリッジ挿入時の動作説明のために示したカートリッジホルダの表面図、図１０（Ｂ）は図１０（Ａ）の裏面図、図１１（Ａ）（Ｂ）は図４の動作説明図である。
カートリッジホルダ３内にＭＤカートリッジ２０が挿入されていない状態では、前記カートリッジホルダ３が図４に示すようにＭＤカートリッジ２０を挿入可能な位置に持ち上げ保持され、かつカートリッジ搬送トレー４が前記カートリッジホルダ３の前端開口側（図１のカートリッジ挿入口１ａ側）に待機保持されている。このような待機状態のカートリッジホルダ３内にＭＤカートリッジ２０を図９（Ａ）に示す正規の前端辺部２０ａから挿入すると、当該ＭＤカートリッジ２０の一側の挿入ガイド溝２４がカートリッジ搬送トレー４のガイド片部４ｆに、かつＭＤカートリッジ２０の他側のシャッタガイド溝２３が凸部ＡＡとシャッタ開閉用板ばね１３の屈曲係合部１３ａにそれぞれ嵌まり込んでＭＤカートリッジ２０が押し込まれる。このとき、ＭＤカートリッジ２０の挿入方向先端部によって、前記シャッタ開閉用板ばね１３とカートリッジロック保持用板ばね１６が押し広げられた後、誤挿入防止レバー１４がスプリング１５の付勢力に抗して押圧回動させられることにより、前記ＭＤカートリッジ２０の挿入方向先端が前記誤挿入防止レバー１４を通過する。
【００２３】
そして、ＭＤカートリッジ２０の挿入方向先端がカートリッジ搬送トレー４の後端片部４ｃに当接すると、その時点で前記カートリッジロック保持用板ばね１６が弾性復帰することにより、当該板ばね１６の屈曲係合部１６ａがＭＤカートリッジ２０のロック用切欠部２２に係合する。これによって、ＭＤカートリッジ２０がカートリッジ搬送トレー４にロック保持される。この状態からＭＤカートリッジ２０がさらに若干押し込まれると、ディスク装置駆動系の第１のアーム３３が押し動かれることにより、当該アーム３３のスイッチ押圧片部３３ａでローディング検出スイッチＳＷ１がＯＦＦ動作させられてローディングモータ３０がローディング方向に起動する。ローディングモータ３０が起動すると、ギア連３１を介して第１，第２のアーム３３，３４がカートリッジ引き込み方向に回動駆動されことにより、第１のアーム３３の先端係合ピン３３ａでカートリッジ搬送トレー４がローディング開始方向に引き込まれる。
【００２４】
その引き込み動作過程では、前記凸部ＡＡがシャッタ２１のロック解除穴２６に入り込んでシャッタロックレバー２５を押し込むことにより、シャッタ２１のロックを解除する。その後、前記シャッタ開閉用板ばね１３の屈曲係合部１３ａはシャッタ２１の係合穴２１ａに嵌入係合して当該シャッタ２１を開き、この状態を維持してカートリッジ搬送トレー４がローディング開始方向への移動を継続する。
【００２５】
そして、前記カートリッジ搬送トレー４がローディング開始位置に到達すると、ギア連３１の回転がホルダロックレバー３７，３８に伝達されることにより、当該ホルダロックレバー３７，３８でスライダ３９，４０がホルダロック解除方向に駆動される。同時にカートリッジホルダ３が下降動作を始め、下降動作完了後、そのスライダ３９，４０に連動するピンロックカム４３，４４が回動してピンＰ２のロックが解除される。カートリッジホルダの下降動作時には、カートリッジホルダ３内のカートリッジ搬送トレー４と一体に異物ストッパ片部１７が下降するが、この場合、異物ストッパ片部１７は図１１に示すように再生ユニットベース２のストッパ逃げ穴１９に嵌入するため、前記カートリッジホルダ３の下降動作が前記異物ストッパ片部１７で阻止されるようなことはない。そして、前記カートリッジホルダ３の下降により、カートリッジ搬送トレー４内にロック保持されたＭＤカートリッジ２０がターンテーブル６上に磁気吸着されて再生位置に保持される。これによって、ローディングが終了する。なお、イジェクト動作は前記ローディングとは逆に行われる。
【００２６】
以上は、ＭＤカートリッジ２０が正しく挿入された場合であって、前記ＭＤカートリッジ２０が誤挿入された場合の動作について以下に説明する。
まず、ＭＤカートリッジ２０を前後逆向きにして挿入した場合、当該ＭＤカートリッジ２０の挿入方向先端となる正規の後端辺部２０ｂ（図９（Ａ）参照）にはシャッタガイド溝２３および挿入ガイド溝２４のいずれも開放されていないので、カートリッジホルダ３の誤挿入防止レバー１４で移動が規制されているカートリッジ搬送トレー４のガイド片部４ｆに前記ＭＤカートリッジ２０の挿入方向先端が当接して当該ＭＤカートリッジ２０の誤挿入が阻止される。また、ＭＤカートリッジ２０表裏面逆にして誤挿入した場合、ＭＤカートリッジ２０の肉厚中心部よりシャッタガイド溝２３および挿入ガイド溝２４が位置ずれしてカートリッジ搬送トレー４のガイド片部４ｆに挿入ガイド溝２４が対応しないため、この場合においてもＭＤカートリッジ２０の挿入方向先端が前記ガイド片部４ｆに当接して誤挿入が阻止される。
【００２７】
さらにＭＤカートリッジ２０を横向きにして挿入した場合、その挿入方向先端となる側辺部２０ｃもしくは２０ｄ（図９（Ａ）参照）は、前後端辺部２０ａ，２０ｂよりも短く（幅狭く）なっているためにＭＤカートリッジ２０の挿入方向先端２０ｃもしくは２０ｄは、前記ガイド片部４ｆおよび誤挿入防止レバー１４を通過してカートリッジ搬送トレー４の後端片部４ｃに当接する。しかしながら、この場合のカートリッジ搬送トレー４は、一側の爪部４ｇが図８（Ａ）に示すように誤挿入防止レバー１４に当接係合して移動できないため、前記カートリッジ搬送トレー４によるＭＤカートリッジ２０の引き込みが不可能となって当該ＭＤカートリッジ２０の挿入が阻止される。すなわち、前記ＭＤカートリッジ２０が誤挿入防止レバー１４をスプリング１５の付勢力に抗する方向へ押圧回動させない限り、カートリッジ搬送トレー４の爪部４ｆが誤挿入防止レバー１４に係合したままの状態を維持するため、前記カートリッジ搬送トレー４がＭＤカートリッジ２０の引き込み方向に移動するようなことはなくなってＭＤカートリッジ２０がローディング開始位置まで挿入されるようなことがなくなる。
【００２８】
次に、前記ＭＤカートリッジ２０以外のクレジットカードやテレフォンカード等の異物としてカード類が挿入された場合の動作について説明する。
図２および図４に示すように、カートリッジホルダ３と共にカートリッジ搬送トレー４がカートリッジ挿入前の上昇待機位置に保持された状態においては、カートリッジ搬送トレー４と一体の異物ストッパ片部１７が再生ユニットベース２とカートリッジ搬送トレー３との間隙を遮る方向に垂下しているため、幼児等によって誤挿入されたカード類は挿入方向先端が前記異物ストッパ片部１７に当接する。このため、前記カード類がメカ内部に完全に挿入されるのを阻止できる。
【００２９】
以上は、カートリッジホルダ３の誤挿入防止レバー１４を避けてカード類が挿入された場合であり、そのカード類が前記誤挿入防止レバー１４を押圧回動させて挿入された場合には、当該誤挿入防止レバー１４とカートリッジ搬送トレー４の爪部４ｆとの係合が解除され、前記カートリッジ搬送トレー４がローディング開始方向へ移動することにより、そのカートリッジ搬送トレー４に追従して前記カード類がさらに押し込まれると、メカ内部（再生ユニットベース２上）に落下し、落下したカード類は通常は取り出すことができなくなる。しかし、この場合、ディスク再生装置の駆動系統をイジェクト動作させると、前記カートリッジ搬送トレー４と一体に移動する異物ストッパ片部１７によって、前記再生ユニットベース２上のカード類を取り出し可能な位置まで搬出される。
【００３０】
以上説明した実施の形態１によれば、カートリッジホルダ３内に摺動可能に保持されてディスク再生方向およびディスク排出方向に駆動されるカートリッジ搬送トレー４に、再生ユニットベース２との間隙を遮る方向に延びて前記カートリッジ搬送トレー４の幅方向中間部に位置し、かつ当該カートリッジ搬送トレー４と一体に移動する異物ストッパ片部１７を設けるように構成したので、ＭＤカートリッジ２０以外のカード類の異物が誤挿入された場合、そのカード類の挿入方向先端が前記異物ストッパ片部１７に当接することにより、カード類の異物全体が挿入されるのを阻止することができるという効果がある。また、誤挿入されたカード類の異物がローディングされてメカ内部の再生ユニットベース２上に落下した場合であっても、イジェクト動作時にカートリッジ搬送トレー４と一体に移動する前記異物ストッパ片部１７が再生ユニットベース２上面のガイド溝１８内にまで延びているので、前記異物ストッパ片部１７によって再生ユニットベース２上の異物を取り出し可能な位置（カートリッジ挿入口１ａから異物の一部が突出する位置）まで確実に搬出することができるという効果がある。
【００３１】
また、前記再生ユニットベース２には、前記カートリッジ搬送トレー４の引き込み終端位置（ローディング開始位置）で前記異物ストッパ片部１７の下降を許容するストッパ逃げ穴１９を設けるように構成したので、ローディング時における前記カートリッジホルダ３の下降動作が前記異物ストッパ片部１７によって阻止されるようなこともないという効果がある。さらに、前記異物ストッパ片部１７はカートリッジ搬送トレー４の成形加工時に当該カートリッジ搬送トレー４と一体形成できると共に。前記異物ストッパ片部１７のガイド溝１８にあっても、再生ユニットベース２上のターンテーブル６やピックアップ駆動モータ８等の搭載機器を避けて容易に形成することができるという効果がある。
【００３２】
さらに、前記異物ストッパ片部１７は、前記カートリッジ搬送トレー４におけるＭＤカートリッジ２０の挿入終端部位に設けられているので、前記異物ストッパ片部１７がＭＤカートリッジ２０の挿入弊害となるようなこともないという効果がある。さらに、前記異物ストッパ片部１７は、その垂下端部が再生ユニットベース２上のガイド溝１８内にはまり込んで状態でカートリッジ搬送トレー４と一体にローディング開始方向へ往復移動するので、前記再生ユニットベース２上に落ち込んだ薄いカード類であっても、それを前記異物ストッパ片部１７によって取り出し可能な位置まで確実に排出することができるという効果がある。
【００３３】
実施の形態２．
前記実施の形態１では、金属製のカートリッジ搬送トレー３に異物ストッパ片部１７を一体形成するように構成したが、前記異物ストッパ片部１７はカートリッジ搬送トレー４とは別体の金属部材もしくは弾性部材をカートリッジ搬送トレー４に取り付けもよく、この場合も前記実施の形態１と同様の効果が得られる。
【図面の簡単な説明】
【００３４】
【図１】この発明の実施の形態１によるＭＤカートリッジのディスク再生装置を示す外観斜視図である。
【図２】図１の要部を切欠した正面図である。
【図３】図２中の再生ユニットベースの平面図である。
【図４】図２の概略的な側面図である。
【図５】図１の上下方向を逆にした背面図である。
【図６】図５の概略的な下面図である。
【図７】図７（Ａ）は図６では示されていない他の機構部分を表した図５の下面図、図７（Ｂ）は図７（Ａ）の左側面図、図７（Ｃ）は図７（Ａ）の右側面図である。
【図８】図８（Ａ）は図６および図７中の誤挿入防止レバー取り付け部分の拡大平面図、図８（Ｂ）は図８（Ａ）の動作説明図である。
【図９】図９（Ａ）はＭＤカートリッジの裏面図、図９（Ｂ）は図９（Ａ）の左側面図、図９（Ｃ）は図９（Ａ）の右側面図である。
【図１０】図１０（Ａ）はＭＤカートリッジ挿入時の動作説明のために示したカートリッジホルダの表面図、図１０（Ｂ）は図１０（Ａ）の裏面図である。
【図１１】図１１（Ａ）（Ｂ）は図４の動作説明図である。
【符号の説明】
【００３５】
１  シャーシ、１ａ  ディスク挿入口、２  再生ユニットベース、３  カートリッジホルダ、３ａ  カートリッジガイド片部、３ｂ，３ｃ  ガイドスリット、３ｄ  窓穴、４  カートリッジ搬送トレー、４ａ，４ｂ  ガイド突起、４ｃ  後端片部、４ｄ  係合溝部、４ｅ  後端切欠縁部、４ｆ  ガイド片部、４ｇ  爪部、５  スピンドルモータ、６  ターンテーブル、７  ピックアップ、８  ピックアップ駆動モータ、９  弾性体、１０  ホルダ支持アーム、１１  回動レバー、１２  トグルばね、１３  板ばね、１３ａ  屈曲係合部、１４  誤挿入防止レバー、１４ａ  係止爪部、１５  スプリング、１６  板ばね、１６ａ  屈曲係合部、１７  異物排除部（異物ストッパ片部）、１８  ガイド溝、１９  ストッパ逃げ穴、２０  ＭＤカートリッジ、２０ａ  前端辺部、２０ｂ  後端辺部、２０ｃ  側辺部、２１  シャッタ、２１ａ  係合穴、２２  ロック用切欠部、２３  シャッタガイド溝、２４  挿入ガイド溝、２５  ロックレバー、２６  ロック解除穴、３０  ローディングモータ、３０ａ  ウォーム、３１  ギア連、３１ａ  入力ギア、３１ｂ  中間ギア、３１ｃ  出力ギア、３２  係合ピン、３３  第１のアーム、３３ａ  係合ピン、３４  第２のアーム、３５  支軸、３６  スプリング、３７，３８  ホルダロックレバー、３９，４０  スライダ、４１，４２  ピン係合溝、４１ａ，４２ａ  テーパガイド面、４３，４４  ピンロックカム、４５  基板。
【図１】
2006286117.tif 000003
【図２】
2006286117.tif 000004
【図３】
2006286117.tif 000005
【図４】
2006286117.tif 000006
【図５】
2006286117.tif 000007
【図６】
2006286117.tif 000008
【図７】
2006286117.tif 000009
【図８】
2006286117.tif 000010
【図９】
2006286117.tif 000011
【図１０】
2006286117.tif 000012
【図１１】
2006286117.tif 000013